(57)【要約】【課題】瓦棒部の形状や内部構造に関わらず、瓦棒葺き屋根の表面全体を防水部材で覆いつつ、雪止めを強固に瓦棒葺き屋根に固定する。【解決手段】瓦棒葺き屋根の雪止め構造を伴った防水構造１は、瓦棒葺き屋根１００の表面全体を覆う防水部材２と、瓦棒部１０１の少なくとも長手方向一部分を跨ぐように、防水部材２と瓦棒葺き屋根１００の表面との間、または、防水部材２の表面に配置される雪止め支持部材５と、瓦棒葺き屋根１００の屋根材を貫通して、屋根材を支える屋根基部１０６に雪止め支持部材５を固定する第１固定部材６と、防水部材２の上方で、且つ、雪止め支持部材５の瓦棒部１０１を覆う部分の上方に配置される雪止めバー７と、雪止め支持部材５に雪止めバー７を固定する第２固定部材８とを備える。【選択図】図３
2015151745.tif 000002
【特許請求の範囲】
【請求項１】
屋根の傾斜に沿って延びる複数の瓦棒部を有する瓦棒葺き屋根の雪止め構造を伴った防水構造であって、
瓦棒葺き屋根の表面全体を覆う防水部材と、
瓦棒部の少なくとも長手方向一部分を跨ぐように、前記防水部材と瓦棒葺き屋根の表面との間、または、防水部材の表面に配置される雪止め支持部材と、
瓦棒葺き屋根の屋根材を貫通して、屋根材を支える屋根基部に前記雪止め支持部材を固定する第１固定部材と、
前記防水部材の上方で、且つ、前記雪止め支持部材の瓦棒部を覆う部分の上方に配置され、水平に延びる雪止めバーと、
前記雪止め支持部材に前記雪止めバーを固定する第２固定部材とを備えることを特徴とする瓦棒葺き屋根の雪止め構造を伴った防水構造。
【請求項２】
前記雪止め支持部材と瓦棒葺き屋根の表面との間に、前記第１固定部材を取り囲むように配置された第１シール部材を備えることを特徴とする請求項１に記載の瓦棒葺き屋根の雪止め構造を伴った防水構造。
【請求項３】
前記第１固定部材が、前記雪止め支持部材を貫通しており、
前記雪止め支持部材の表面に、前記第１固定部材を覆うように配置された第２シール部材を備えることを特徴とする請求項１または２に記載の瓦棒葺き屋根の雪止め構造を伴った防水構造。
【請求項４】
前記雪止め支持部材が、前記防水部材と瓦棒葺き屋根の表面との間に配置されており、
前記第２固定部材が、前記防水部材を貫通しており、
前記雪止めバーと前記防水部材との間、および、前記防水部材と前記雪止め支持部材との間の少なくとも一方に、前記第２固定部材を取り囲むように配置された第３シール部材を備えることを特徴とする請求項１〜３のいずれかに記載の瓦棒葺き屋根の雪止め構造を伴った防水構造。
【請求項５】
前記第２固定部材が、
前記雪止め支持部材から上方に突出するように前記雪止め支持部材に固定され、少なくとも前記雪止めバーを貫通するボルトと、
前記ボルトの前記雪止めバーから露出した部分に締結されるナットとを有することを特徴とする請求項１〜４のいずれかに記載の瓦棒葺き屋根の雪止め構造を伴った防水構造。
【請求項６】
前記雪止め支持部材が、前記防水部材と瓦棒葺き屋根の表面との間に配置されており、
前記ナットと前記雪止めバーとの間に、前記ボルトを取り囲むように配置された第４シール部材を備えることを特徴とする請求項５に記載の瓦棒葺き屋根の雪止め構造を伴った防水構造。
【請求項７】
前記防水部材が、
瓦棒部を覆うように瓦棒部の長手方向全域にわたって配置される防水キャップ体と、
瓦棒葺き屋根の表面における瓦棒部以外の部分を覆うと共に、前記キャップ部に接合される防水シートとを有することを特徴とする請求項１〜６のいずれかに記載の瓦棒葺き屋根の雪止め構造を伴った防水構造。
【請求項８】
屋根の傾斜に沿って延びる複数の瓦棒部を有する瓦棒葺き屋根の雪止め工法を伴った防水工法であって、
瓦棒部の少なくとも長手方向一部分を跨ぐように雪止め支持部材を配置した後、瓦棒葺き屋根の屋根材を貫通する第１固定部材によって、屋根材を支える屋根基部に前記雪止め支持部材を固定する雪止め支持部材設置工程と、
前記雪止め支持部材設置工程の前または後に、瓦棒葺き屋根の表面全体を防水部材で覆う防水部材設置工程と、
前記防水部材設置工程と前記防水部材設置工程の後に、前記雪止め支持部材の瓦棒部を覆う部分の上方に雪止めバーを配置して、第２固定部材によって、前記雪止め支持部材に前記雪止めバーを固定する雪止めバー設置工程とを有することを特徴とする瓦棒葺き屋根の雪止め工法を伴った防水工法。
【発明の詳細な説明】
【技術分野】
【０００１】
本発明は、瓦棒葺き屋根に適用される雪止め構造を伴った防水構造とその施工法に関する。
【背景技術】
【０００２】
瓦棒葺き屋根は、金属板葺き屋根の一種であって、屋根の傾斜方向に沿って延び、平行に配列された複数の角柱状の瓦棒部を有する。瓦棒葺き屋根は、両端部に垂直に折り曲げられた立ち上がり部を有する複数枚の金属製の屋根板（溝板）を、屋根下地板の上に間隔を空けて配置した後、隣接する屋根板の間に吊子または心木を設置して、吊子または心木とその両側の立ち上がり部に金属製のキャップをかぶせた構造となっている。瓦棒部は、キャップとその両側の屋根板の立ち上がり部によって構成されている。吊子または心木は、屋根材を支える屋根基部である垂木に釘やネジなどによって固定されている。
【０００３】
吊子は断面略Ｕ字状の金属板である。この吊子を用いる場合には、屋根板の立ち上がり部の端部と吊子の端部とを挟むようにキャップの端部を折り曲げた後、立ち上がり部の端部と吊子の端部とキャップの端部をまとめて折り曲げることで、屋根板およびキャップは吊子に固定されている。この折り曲げによって、瓦棒部の両側面の上端部には突起が形成されている。また、心木は木製の角柱である。心木を用いる場合には、屋根板とキャップは釘などによって心木に固定されている。
【０００４】
このような瓦棒葺き屋根は、長期の使用により老朽化したり腐食したりして防水性を保てなくなる。そこで、防水性を回復させるために、屋根表面全体を防水部材で覆うことが行われている。
【０００５】
例えば特許文献１では、ハット形状に型付けされたゴムまたは樹脂製の防水キャップ体で瓦棒部を覆い、瓦棒部以外の部分を防水シートで覆って、防水キャップ体と防水シートとを接合している。この特許文献１には、瓦棒部の内側に心木が配置された瓦棒葺き屋根の防水構造のみが記載されているが、瓦棒部の内側に吊子が配置された瓦棒葺き屋根であっても、特許文献１と同様の防水構造を適用できる。
【０００６】
ところで、降雪が多い地域では、屋根から雪が落下するのを防止するために雪止め金具が屋根に設置されている。従来、瓦棒葺き屋根に設置される雪止め金具は、瓦棒部に固定されている。内側に吊子が配置された瓦棒部の場合には、瓦棒部の両側面の上端部に形成される突起に雪止め金具を把持させて、ボルトとナットで締め付けて固定している（例えば特許文献２参照）。また、内側に心木が配置された瓦棒部の場合には、瓦棒部に雪止め金具をかぶせて、瓦棒部の両側から心木に釘を打ち付けて雪止め金具を固定している。
【先行技術文献】
【特許文献】
【０００７】
【特許文献１】特開平５−１８０７２号公報
【特許文献２】実公昭６４−４９７８号公報
【発明の概要】
【発明が解決しようとする課題】
【０００８】
瓦棒葺き屋根を防水部材で覆いつつ、雪止め金具を設置したい場合がある。しかしながら、心木を有する瓦棒葺き屋根を防水部材で覆った後で、従来の雪止め金具を設置する場合、ゴムまたは樹脂製の防水キャップに釘を貫通させなければならないため、釘が打ちにくい。また、防水キャップ体は設置しやすいように瓦棒部よりも若干大きめに型付けされているため、防水キャップに釘を打つと防水キャップが変形し、防水シートとの接合部に隙間ができるため、防水性を確保することができなかった。このような理由から実施が不可能であった。また、吊子を有する瓦棒葺き屋根を防水部材で覆った後で、従来の雪止め金具を設置する場合、防水キャップ体は厚みがあり平坦状であるため、瓦棒部を防水部材で覆うと雪止め金具を突起に引っ掛けることができず、両側から締め付けるだけでは雪止め金具を強固に固定することができなくなる。そのため、積雪荷重によって雪止め金具が防水キャップ体に対してずれるという問題が生じる。
【０００９】
そこで、本発明は、瓦棒部の形状や内部構造に関わらず、瓦棒葺き屋根の表面全体を防水部材で覆いつつ、雪止めを強固に瓦棒葺き屋根に固定することができる瓦棒葺き屋根の雪止め構造を伴った防水構造とその施工法を提供することを目的とする。
【課題を解決するための手段及び発明の効果】
【００１０】
第１の発明に係る瓦棒葺き屋根の雪止め構造を伴った防水構造は、屋根の傾斜に沿って延びる複数の瓦棒部を有する瓦棒葺き屋根の雪止め構造を伴った防水構造であって、瓦棒葺き屋根の表面全体を覆う防水部材と、瓦棒部の少なくとも長手方向一部分を跨ぐように、前記防水部材と瓦棒葺き屋根の表面との間、または、防水部材の表面に配置される雪止め支持部材と、瓦棒葺き屋根の屋根材を貫通して、屋根材を支える屋根基部に前記雪止め支持部材を固定する第１固定部材と、前記防水部材の上方で、且つ、前記雪止め支持部材の瓦棒部を覆う部分の上方に配置され、水平に延びる雪止めバーと、前記雪止め支持部材に前記雪止めバーを固定する第２固定部材とを備えることを特徴とする。
【００１１】
この構成によると、瓦棒葺き屋根の表面全体を覆う防水部材の上方または下方に配置された雪止め支持部材が屋根基部に固定されており、この雪止め支持部材に雪止めバーが固定されている。そのため、瓦棒葺き屋根の表面全体を防水部材で覆いつつ、雪止め支持部材と雪止めバーを屋根に固定することができる。
また、雪止め支持部材は、瓦棒葺き屋根の屋根材を貫通する第１固定部材によって、屋根材を支える屋根基部に固定されるため、瓦棒部の形状や内部構造に関わらず、雪止め支持部材を瓦棒葺き屋根に強固に固定することができる。
【００１２】
第２の発明に係る瓦棒葺き屋根の雪止め構造を伴った防水構造は、第１の発明において、前記雪止め支持部材と瓦棒葺き屋根の表面との間に、前記第１固定部材を取り囲むように配置された第１シール部材を備えることを特徴とする。
【００１３】
この構成によると、雪止め支持部材と瓦棒葺き屋根の表面との間に配置された第１シール部材によって、屋根材に形成された第１固定部材を挿通する孔に水が侵入するのを防止できる。
【００１４】
第３の発明に係る瓦棒葺き屋根の雪止め構造を伴った防水構造は、第１または第２の発明において、前記第１固定部材が、前記雪止め支持部材を貫通しており、前記雪止め支持部材の表面に、前記第１固定部材を覆うように配置された第２シール部材を備えることを特徴とする。
【００１５】
この構成によると、第１固定部材を覆う第２シール部材によって、雪止め支持部材に形成された第１固定部材を挿通する孔に水が侵入するのを防止できる。したがって、屋根材に水が侵入するのを防止できる。
【００１６】
第４の発明に係る瓦棒葺き屋根の雪止め構造を伴った防水構造は、第１〜第３の発明のいずれかにおいて、前記雪止め支持部材が、前記防水部材と瓦棒葺き屋根の表面との間に配置されており、前記第２固定部材が、前記防水部材を貫通しており、前記雪止めバーと前記防水部材との間、および、前記防水部材と前記雪止め支持部材との間の少なくとも一方に、前記第２固定部材を取り囲むように配置された第３シール部材を備えることを特徴とする。
【００１７】
この構成によると、雪止めバーと防水部材との間、または、防水部材と雪止め支持部材との間に配置された第３シール部材によって、防水部材と雪止め支持部材との間に外部から水が侵入するのを防止できる。したがって、屋根材に水が侵入するのを防止できる。
【００１８】
第５の発明に係る瓦棒葺き屋根の雪止め構造を伴った防水構造は、第１〜第４の発明のいずれかにおいて、前記第２固定部材が、前記雪止め支持部材から上方に突出するように前記雪止め支持部材に固定され、少なくとも前記雪止めバーを貫通するボルトと、前記ボルトの前記雪止めバーから露出した部分に締結されるナットとを有することを特徴とする。
【００１９】
この構成によると、雪止め支持部材に固定されて雪止めバーを貫通するボルトにナットを締結することで、雪止め支持部材と雪止めバーとを固定することができるため、雪止めバーの設置と取り外しが容易である。
【００２０】
第６の発明に係る瓦棒葺き屋根の雪止め構造を伴った防水構造は、第５の発明において、前記雪止め支持部材が、前記防水部材と瓦棒葺き屋根の表面との間に配置されており、前記ナットと前記雪止めバーとの間に、前記ボルトを取り囲むように配置された第４シール部材を備えることを特徴とする。
【００２１】
この構成によると、ナットと雪止めバーとの間に配置される第４シール部材によって、雪止めバーに形成されたボルトを挿通する孔に水が侵入するのを防止できる。それにより、防水部材に形成されたボルトを挿通する孔に水が侵入するのを防止でき、その結果、屋根材に水が侵入するのを防止できる。
【００２２】
第７の発明に係る瓦棒葺き屋根の雪止め構造を伴った防水構造は、第１〜第６の発明のいずれかにおいて、前記防水部材が、瓦棒部を覆うように瓦棒部の長手方向全域にわたって配置される防水キャップ体と、瓦棒葺き屋根の表面における瓦棒部以外の部分を覆うと共に、前記キャップ部に接合される防水シートとを有することを特徴とする。
【００２３】
この構成によると、防水部材が、瓦棒部を覆う防水キャップと、瓦棒葺き屋根の表面における瓦棒部以外の部分を覆う防水シートとからなるため、瓦棒葺き屋根の表面形状に沿って防水部材を容易に設置することができる。
【００２４】
また、本発明に係る瓦棒葺き屋根の雪止め工法を伴った防水工法は、屋根の傾斜に沿って延びる複数の瓦棒部を有する瓦棒葺き屋根の雪止め工法を伴った防水工法であって、瓦棒部の少なくとも長手方向一部分を跨ぐように雪止め支持部材を配置した後、瓦棒葺き屋根の屋根材を貫通する第１固定部材によって、屋根材を支える屋根基部に前記雪止め支持部材を固定する雪止め支持部材設置工程と、前記雪止め支持部材設置工程の前または後に、瓦棒葺き屋根の表面全体を防水部材で覆う防水部材設置工程と、前記防水部材設置工程と前記防水部材設置工程の後に、前記雪止め支持部材の瓦棒部を覆う部分の上方に雪止めバーを配置して、第２固定部材によって、前記雪止め支持部材に前記雪止めバーを固定する雪止めバー設置工程とを有することを特徴とする。この構成によると、第１の発明と同様の効果が得られる。
【図面の簡単な説明】
【００２５】
【図１】本発明の第１実施形態に係る瓦棒葺き屋根の雪止め構造を伴った防水構造の斜視図である。
【図２】図１の部分拡大図である。
【図３】図１に示すＡ−Ａ線断面の部分拡大図である。
【図４】図１に示すＢ−Ｂ線切断端面の部分拡大図である。
【図５】図１に示す防水構造において、防水部材を設置する前の状態の部分拡大分解斜視図である。
【図６】本発明の第２実施形態に係る瓦棒葺き屋根の雪止め構造を伴った防水構造の部分拡大断面図である。
【図７】本発明が適用される瓦棒葺き屋根の他の実施形態を示す図である。
【図８】（ａ）は本発明に係る瓦棒葺き屋根の雪止め構造を伴った防水構造の試験装置の概略図であって、（ｂ）は従来の防水構造に従来の雪止め金具を設置した場合の試験装置の概略図である。
【発明を実施するための形態】
【００２６】
＜第１実施形態＞
以下、本発明の第１実施形態について図面を参照しつつ説明する。
図１は、本実施形態の瓦棒葺き屋根の雪止め構造を伴った防水構造１（以下、雪止め有り防水構造１という）を示している。まず、雪止め有り防水構造１が適用される瓦棒葺き屋根１００の構造について説明する。
【００２７】
瓦棒葺き屋根１００は、屋根の傾斜に沿って延びる複数の瓦棒部１０１が平行に配列された構造を有する。瓦棒葺き屋根１００は、屋根下地板（野地板）１０５の上に、複数の屋根板（溝板）１０２、複数のキャップ１０３、および複数の通し吊子１０４を備えている。屋根下地板１０５の下方には、水平方向に延びる複数の垂木（屋根基部）１０６が屋根の傾斜方向に配列されている。この垂木１０６によって屋根材（屋根板１０２、キャップ１０３、通し吊子１０４、屋根下地板１０５）は支えられている。なお、以下の説明において垂木１０６の延在方向と平行な方向を屋根幅方向という。
【００２８】
図２に示すように、屋根板１０２は、金属板で構成されており、その両端部に垂直に折り曲げられた立ち上がり部１０２ａを有する。複数の屋根板１０２は、屋根幅方向に所定の間隔を空けて配列されている。通し吊子１０４は、隣接する２枚の屋根板１０２の間に配置されている。通し吊子１０４の屋根の傾斜方向の長さは、屋根板１０２の長さと同じである。通し吊子１０４は、断面略Ｕ字状の金属板で構成されている。通し吊子１０４と屋根下地板１０５とを貫通して垂木１０６に打ち込まれたビス（図示省略）などによって、通し吊子１０４は垂木１０６に固定されている。
【００２９】
キャップ１０３は、金属板からなり、通し吊子１０４とその両側の立ち上がり部１０２ａにかぶせられている。キャップ１０３の端部と通し吊子１０４の端部と屋根板１０２の立ち上がり部１０２ａの上端部は、折り曲げ構造によって互いに係止されている。具体的には、キャップ１０３の端部を、通し吊子１０４の端部と立ち上がり部１０２ａの上端部を挟むように折り曲げた後、通し吊子１０４の端部と立ち上がり部１０２ａの上端部とキャップ１０３の端部とをまとめて折り曲げた構成となっている。そのため、瓦棒部１０１の両側壁の上端部は外側に突出している。瓦棒部１０１は、キャップ１０３とその両側の立ち上がり部１０２ａで構成されている。
【００３０】
図３に示すように、雪止め有り防水構造１は、防水部材２、複数の雪止め支持部材５、ビス（第１固定部材）６、雪止めバー７、複数の固定部材８（第２固定部材）、複数のシール部材１１〜１６、複数の平座金１７、および複数のばね座金１８を備えている。
【００３１】
図５に示すように、雪止め支持部材５は、瓦棒部１０１の長手方向一部分を跨ぐように配置される。より詳細には、雪止め支持部材５は、上方から見て、瓦棒部１０１と、１本の垂木１０６とが交差する位置に配置される。図１に示すように、本実施形態の雪止め支持部材５は、屋根幅方向の所定長さの範囲内の複数の瓦棒部１０１に対して１つおきに配置されているが、２つおきに配置してもよく、また全ての瓦棒部１０１に配置してもよい。
【００３２】
雪止め支持部材５は、断面ハット形状に形成された金属板で構成されている。雪止め支持部材５の鍔部５ａは、シール部材（第１シール部材）１１を介して屋根板１０２の上面に配置される。シール部材１１は、矩形状のシートであって、その大きさは雪止め支持部材５の鍔部５ａよりも若干大きい。シール部材１１は、非加硫ゴムからなり、自己粘着性によって屋根板１０２に貼り付けられている。接着剤を併用してより強固に固定してもよい。
【００３３】
雪止め支持部材５の鍔部５ａには孔が形成されている。この孔に上方から挿通されて、シール部材１１および屋根下地板１０５を貫通して垂木１０６に打ち込まれるビス６によって、雪止め支持部材５は垂木１０６に固定されている。ビス６は、先端がドリル状になっており、鋼材に下穴を開けずに貫通でき、かつ鋼材側にネジ山が形成されるのでネジ締め固定できる。なお、屋根裏に入ることが可能であれば、ビス６の代わりにボルトとナットを用いて固定してもよい。
【００３４】
雪止め支持部材５の鍔部５ａの上面には、シール部材（第２シール部材）１２が配置される。シール部材１２は、シール部材１１とほぼ同じものが用いられる。シール部材１２は、ビス６の頭部を覆っている。シール部材１２は、雪止め支持部材５の鍔部５ａに自己粘着性によって貼り付けられている。また、シール部材１２の鍔部５ａからはみ出した部分は、自己粘着性によってシール部材１１に貼り付けられている。接着剤を併用してより強固に固定してもよい。
【００３５】
また、雪止め支持部材５の天面部５ｂ（凹状部の底板部分）には、ボルト９が貫通しており、このボルト９の下端は溶接により雪止め支持部材５の天面部５ｂに固定されている。つまり、ボルト９は、雪止め支持部材５から上方に突出するように、雪止め支持部材５に固定されている。このボルト９と後述するナット１０によって、固定部材（第２固定部材）８が構成される。
【００３６】
雪止め支持部材５の天面部５ｂの上面には、シール部材（第３シール部材）１３が配置されており、このシール部材１３にはボルト９が貫通している。シール部材１３は、矩形状のシートであって、その大きさは雪止め支持部材５の天面部５ｂの大きさとほぼ同じである。シール部材１３は、加硫ゴムシートに非加硫ゴムシートを貼り合わせた構造であって、非加硫ゴムシートの自己粘着性によって、雪止め支持部材５の天面部５ｂに貼り付けられている。接着剤を併用してより強固に固定してもよい。非加硫ゴムシートだけでは変形しやすいが、加硫ゴムシートと重ねることで形状を保持できるので、ボルト９に貫通させて貼る作業が行いやすくなる。各シール部材１３の厚みは、複数のシール部材１３の上面の高さが揃うように、設置箇所に応じて設定されている。
【００３７】
防水部材２は、雪止め支持部材５およびシール部材１２、１３を覆いつつ、瓦棒葺き屋根１００の表面全体を覆っている。また、防水部材２の表面は、外観性、耐候性、遮熱性等の向上のため塗装されている。防水部材２は、複数の防水キャップ体３と複数の防水シート４で構成されている。
【００３８】
防水キャップ体３は、瓦棒部１０１ごとに設けられており、瓦棒部１０１をその長手方向全域にわたって覆っている。図３および図４に示すように、雪止め支持部材５が設置された瓦棒部１０１においては、防水キャップ体３は、雪止め支持部材５と瓦棒部１０１とを覆う。防水キャップ体３の雪止め支持部材５を覆う部分には、ボルト９が貫通している。なお、図４は、図１のＢ−Ｂ線に沿った切断面のみを表示した切断部端面図である。
【００３９】
防水キャップ体３は、弾性変形可能な材質で形成され、断面ハット形状に型付けされている。防水キャップ体３の凹状部は、雪止め支持部材５の凹状部より若干大きい。また、防水キャップ体３の鍔部３ａの屋根幅方向長さは、シール部材１２の屋根幅方向長さとほぼ同じである。防水キャップ体３の鍔部３ａは、接着剤によってシール部材１２に貼り付けられている。
【００４０】
防水キャップ体３は、強制的に変形させても元の形へ回復し易く、且つ、硬質で耐候性に優れ腐食されにくい材質で形成されている。例えばポリエチレン、ポリプロピレン、エチレンビニルアセテート、ポリビニルクロライド、塩素化ポリエチレン、クロロスルフォン化ポリエチレン、ＳＢＳ、ＳＥＢＳ、ＳＩＳ等の樹脂や、あるいはそれらの樹脂とＥＰＴ、ＥＰＤＭ、ＩＩＲ、ＣＲ等のゴムのブレンド系物が挙げられる。特に、形状の回復性が望まれるために、加熱すれば元の状態に戻りやすい素材の使用も可能である。
【００４１】
防水シート４は、瓦棒葺き屋根１００の表面における瓦棒部１０１以外の部分を覆っている。防水シート４の端部は、防水キャップ体３の鍔部３ａの上面に貼り付けられている。また、防水シート４の端部以外の部分は、屋根板１０２の上面に貼り付けられている。防水シート４は、防水シート４自体に粘着層を設けて貼り付けても、接着剤によって貼り付けてもよい。
【００４２】
防水シート４は、ゴムまたは樹脂で形成されており弾性変形可能であって、防水キャップ体３よりも柔軟性が高い。防水シート４を構成するゴムとしては例えばＥＰＤＭ、ＩＩＲあるいはこれらのブレンド物が挙げられ、樹脂としては例えばポリビニルクロライド、ポリエチレン等が挙げられる。
【００４３】
また、防水キャップ体３の天面部３ｂの上面には、シール部材（第３シール部材）１４が配置されており、このシール部材１４にはボルト９が貫通している。シール部材１４は、矩形状のシートであって、その大きさは、防水キャップ体３の天面部３ｂの大きさとほぼ同じである。シール部材１４は、シール部材１３と同様に加硫ゴムシートに非加硫ゴムシートを貼り合わせた構造であって、非加硫ゴムシートの自己粘着性によって防水キャップ体３に貼り付けられている。接着剤を併用してより強固に固定してもよい。また、シール部材１４の表面には、防水部材２の表面と同様の塗装が施されている。
【００４４】
雪止めバー７は、屋根に積もった雪が屋根から雪が落下するのを防止するためのものである。雪止めバー７は、防水キャップ体３の雪止め支持部材５を覆う部分の上面にシール部材１４を介して配置されており、屋根幅方向（水平方向）に沿って延びている。雪止めバー７の屋根幅方向の長さは、屋根の幅と同じであっても、それより短くてもよい。
【００４５】
雪止めバー７は、台座部７ａと立ち上がり部７ｂとからなる断面Ｌ字状の金属板で構成されている。雪止めバー７の台座部７ａは、シール部材１４の上面に配置される。立ち上がり部７ｂは、台座部７ａの上側の端部から上方に延びており、屋根の積雪を支える。
【００４６】
台座部７ａには、ボルト９が貫通している。また、台座部７ａとシール部材１４との間には、シール部材（第３シール部材）１５が配置される。シール部材１５は、ボルト９の周囲に塗布されたペースト状の非加硫ゴムで構成されている。台座部７ａから露出するボルト９の先端部にナット１０が締結されることで、雪止めバー７は雪止め支持部材５に固定されている。ナット１０と雪止めバー７との間には、フェルト製のシール部材（第４シール部材）１６と、平座金１７と、ばね座金１８とが配置されている。
【００４７】
次に、雪止め有り防水構造１の施工手順について説明する。
【００４８】
（雪止め支持部材設置工程）
まず、垂木１０６の位置を確認して、複数の雪止め支持部材５を設置する位置を決める。そして、屋根板１０２の上に、シール部材１１と雪止め支持部材５とを配置して、雪止め支持部材５をビス６によって垂木１０６に固定する。その後、雪止め支持部材５の鍔部５ａの上面にシール部材１２を配置する。また、雪止め支持部材５の天面部５ｂの上面にシール部材１３を配置する。
【００４９】
（防水部材設置工程）
その後、各瓦棒部１０１に防水キャップ体３をかぶせてから、瓦棒葺き屋根１００の表面の瓦棒部１０１以外の部分を防水シート４で覆って、防水シート４と防水キャップ体３とを接着剤により接合する。次に、防水キャップ体３の天面部３ｂの上面にシール部材１４を配置してから、防水部材２およびシール部材１４の表面を塗装する。
【００５０】
（雪止めバー設置工程）
次に、複数のシール部材１４から露出している複数のボルト９の位置に合わせて、雪止めバー７の台座部７ａにボルト９を挿通するための複数の孔を開ける。その後、シール部材１４の上面のボルト９の周囲に、シール部材１５を形成するためのシーリング材を塗布する。そして、雪止めバー７の台座部７ａに設けた孔にボルト９を挿通して、複数のシール部材１４の上に雪止めバー７を配置する。その後、シール部材１６、平座金１７、ばね座金１８、ナット１０を順にボルト９に装着し、ナット１０を締めつけて雪止めバー７を複数の雪止め支持部材５に固定する。
【００５１】
なお、本実施形態の雪止め有り防水構造１０１は、瓦棒葺き屋根１００の新設時に同時に施工してもよく、既存の瓦棒葺き屋根１００に施工してもよい。
【００５２】
本実施形態の雪止め有り防水構造１では、瓦棒葺き屋根１００の表面全体を覆う防水部材２の上方または下方に配置された雪止め支持部材５が垂木（屋根基部）１０６に固定されており、この雪止め支持部材５に雪止めバー７が固定されている。そのため、瓦棒葺き屋根１００の表面全体を防水部材２で覆いつつ、雪止めバー７と雪止め支持部材５を屋根に固定することができる。
また、雪止め支持部材５は、瓦棒葺き屋根１００の屋根材を貫通するビス６によって屋根材を支える垂木１０６に固定されるため、瓦棒部１０１の形状や内部構造に関わらず、雪止め支持部材５を瓦棒葺き屋根１００に強固に固定することができる。
【００５３】
また、本実施形態では、雪止め支持部材５の鍔部５ａと屋根板１０２の上面との間に、ビス６を取り囲むようにシール部材１１が配置されているため、屋根材（屋根板１０２、屋根下地板１０５）に形成されたビス６を挿通する孔に水が侵入するのを防止できる。
【００５４】
また、本実施形態では、雪止め支持部材５の鍔部５ａの上面に、ビス６を覆うようにシール部材１２が配置されているため、雪止め支持部材５の鍔部５ａに形成されたビス６を挿通する孔に水が侵入するのを防止できる。したがって、屋根材に水が侵入するのをより確実に防止できる。
【００５５】
また、本実施形態では、防水部材２と雪止め支持部材５との間に、ボルト９を取り囲むようにシール部材１３が配置されており、雪止めバー７と防水部材２との間に、ボルト９を取り囲むようにシール部材１４、１５が配置されている。これにより、防水部材２と雪止め支持部材５との間に外部から水が侵入するのを防止できる。したがって、屋根材に水が侵入するのをより確実に防止できる。
【００５６】
さらに、本実施形態では、ナット１０と雪止めバー７との間に、ボルト９を取り囲むようにシール部材１６が配置されているため、雪止めバー７に形成されたボルト９を挿通する孔に水が侵入するのを防止できる。それにより、防水部材２に形成されたボルト９を挿通する孔に水が侵入するのを防止でき、その結果、屋根材に水が侵入するのをより確実に防止できる。
【００５７】
また、本実施形態では、雪止め支持部材５に固定されて雪止めバー７を貫通するボルト９にナット１０を締結することで、雪止め支持部材５と雪止めバー７とを固定することができるため、雪止めバー７の設置と取り外しが容易である。
【００５８】
また、本実施形態では、防水部材２が、瓦棒部１０１を覆う防水キャップ体３と、瓦棒葺き屋根１００の表面における瓦棒部１０１以外の部分を覆う防水シート４とからなるため、瓦棒葺き屋根１００の表面形状に沿って防水部材２を容易に設置することができる。
【００５９】
また、本実施形態では、雪止め支持部材５が防水部材２で覆われるため、屋根の美観が良好であると共に、雪止め支持部材５が錆びにくく、傷つきにくい。
【００６０】
＜第２実施形態＞
次に、本発明の第２実施形態について説明する。但し、上記第１実施形態と同様の構成を有するものについては、同じ符号を用いて適宜その説明を省略する。図６に示すように、本実施形態の瓦棒葺き屋根の雪止め構造を伴った防水構造２０１（以下、雪止め有り防水構造２０１という）は、第１実施形態と同様の瓦棒葺き屋根１００に適用される。
【００６１】
上記第１実施形態の雪止め有り防水構造１では、瓦棒部１０１と防水部材２との間に雪止め支持部材５が配置されていたのに対して、本実施形態の雪止め有り防水構造２０１では、防水部材２の表面に雪止め支持部材２０５が配置される。本実施形態の雪止め有り防水構造２０１は、複数の雪止め支持部材２０５、複数のビス（第１固定部材）６、防水部材２、雪止めバー７、複数の固定部材（第２固定部材）８、および複数のシール部材２１１、２１２を有する。
【００６２】
防水部材２は、第１実施形態と同様に、複数の防水キャップ体３と複数の防水シート４とを有し、瓦棒葺き屋根１００の表面全体を被覆する。防水部材２の表面は、第１実施形態と同様に塗装されている。防水キャップ体３の鍔部３ａは、屋根板１０２の上面に貼り付けられている。防水シート４の端部は、第１実施形態と同様に、防水キャップ体３の鍔部３ａの上面に貼り付けられており、防水シート４の端部以外の部分は、屋根板１０２の上面に貼り付けられている。
【００６３】
防水キャップ体３の鍔部３ａと防水シート４の重なる部分には、雪止め支持部材５を垂木１０６に固定するための複数のビス６が貫通している。また、防水シート４の上面には、ビス６が貫通した状態で、シール部材（第１シール部材）２１１が配置されている。シール部材２１１は、矩形状のシートであって、その大きさは雪止め支持部材２０５の鍔部２０５ａよりも若干大きい。シール部材２１１は、第１実施形態のシール部材１１、１２と同様に、非加硫ゴムからなり、自己粘着性によって防水シート４に貼り付けられている。接着剤を併用してより強固に固定してもよい。
【００６４】
雪止め支持部材２０５は、防水キャップ体３の上方に、瓦棒部１０１の長手方向一部分を跨ぐように配置される。複数の雪止め支持部材２０５は、第１実施形態と同様に、１本の垂木１０６に沿って配置される。雪止め支持部材２０５は、断面ハット形状に形成された金属板で構成されている。雪止め支持部材２０５の凹状部は、防水キャップ体３の凹状部より若干大きい。
【００６５】
雪止め支持部材２０５の鍔部２０５ａは、シール部材２１１を介して、防水部材２の上面に配置される。雪止め支持部材２０５の鍔部２０５ａには孔が形成されている。この孔に上方から挿通されて、シール部材２１１、防水部材２および屋根下地板１０５を貫通して垂木１０６に打ち込まれるビス６によって、雪止め支持部材２０５は垂木１０６に固定されている。雪止め支持部材２０５の天面部２０５ｂには、上記第１実施形態の雪止め支持部材５と同様にボルト９が溶接されている。
【００６６】
また、雪止め支持部材２０５の鍔部２０５ａの上面には、シール部材（第２シール部材）２１２が配置される。シール部材２１２の大きさは、シール部材２１１とほぼ同じである。シール部材２１２は、ビス６の頭部を覆っている。シール部材２１２は、第１実施形態のシール部材１３、１４と同様に、加硫ゴムシートに非加硫ゴムシートを貼り合わせた構造であって、非加硫ゴムシートの自己粘着性によって、雪止め支持部材２０５の鍔部２０５ａに接着剤によって貼り付けられている。接着剤を併用してより強固に固定してもよい。また、シール部材２１２の鍔部２０５ａからはみ出した部分は、シール部材２１１に貼り付けられている。
【００６７】
雪止めバー７は、雪止め支持部材２０５の天面部２０５ｂの上面に配置される。雪止めバー７の台座部７ａには、雪止め支持部材２０５の天面部２０５ｂから上方に突出するボルト９が貫通している。このボルト９にナット１０が締結されることで、雪止めバー７は雪止め支持部材２０５に固定されている。ナット１０と雪止めバー７との間には、平座金１７とばね座金１８とが配置されている。
【００６８】
次に、雪止め有り防水構造２０１の施工手順について説明する。
【００６９】
（防水部材設置工程）
各瓦棒部１０１に防水キャップ体３をかぶせてから、瓦棒葺き屋根１００の表面の瓦棒部１０１以外の部分を防水シート４で覆って、防水シート４と防水キャップ体３とを接着剤により接合する。その後、防水部材２の表面を塗装する。
【００７０】
（雪止め支持部材設置工程）
垂木１０６の位置を確認して、複数の雪止め支持部材２０５を設置する位置を決める。そして、防水部材２の上に、シール部材２１１と雪止め支持部材２０５とを配置して、雪止め支持部材２０５をビス６によって垂木１０６に固定する。その後、雪止め支持部材２０５の鍔部２０５ａの上にシール部材２１２を配置する。
【００７１】
（雪止めバー設置工程）
次に、複数の雪止め支持部材２０５の天面部２０５ｂから突出している複数のボルト９の位置に合わせて、雪止めバー７の台座部７ａにボルト９を挿通するための複数の孔を開ける。そして、この孔にボルト９を挿通して、雪止め支持部材２０５の天面部２０５ｂの上面に雪止めバー７を配置する。その後、平座金１７、ばね座金１８、ナット１０をボルト９に装着し、ナット１０を締めつけて雪止めバー７を複数の雪止め支持部材２０５に固定する。
【００７２】
なお、本実施形態の雪止め有り防水構造２０１は、瓦棒葺き屋根１００の新設時に同時に施工してもよく、既存の瓦棒葺き屋根１００に施工してもよい。また、防水工程を終了してから一定期間あけて、雪止め支持部材設置工程と雪止めバー設置工程を行ってもよい。
【００７３】
本実施形態の雪止め有り防水構造２０１では、上記第１実施形態と同様に、瓦棒部１０１の形状や内部構造に関わらず、瓦棒葺き屋根１００の表面全体を防水部材２で覆いつつ、雪止めバー７と雪止め支持部材２０５を屋根に強固に固定することができる。
【００７４】
また、本実施形態では、雪止め支持部材２０５の鍔部２０５ａと防水部材２との間に、ビス６を取り囲むようにシール部材２１１が配置されているため、屋根材（屋根板１０２、屋根下地板１０５）に形成されたビス６を挿通する孔に水が侵入するのを防止できる。
【００７５】
また、本実施形態では、雪止め支持部材２０５の鍔部２０５ａの上面に、ビス６を覆うようにシール部材２１２が配置されているため、雪止め支持部材２０５の鍔部２０５ａに形成されたビス６を挿通する孔に水が侵入するのを防止できる。したがって、屋根材に水が侵入するのをより確実に防止できる。
【００７６】
また、本実施形態では、雪止め支持部材２０５は防水部材２の上方に配置される。そのため、瓦棒葺き屋根の既設の防水構造に対して、後から雪止め支持部材２０５と雪止めバー７だけを設定することができる。
【００７７】
また、第１実施形態の雪止め有り防水構造１では、雪止め支持部材５の凹状部の形状は、瓦棒部１０１の大きさと、防水キャップ体３の凹状部の大きさによって制約を受けることになる。一方、本実施形態の雪止め有り防水構造２０１では、雪止め支持部材２０５は、防水キャップ体３の上方に配置されるので、雪止め支持部材２０５の凹状部の形状は、防水キャップ体３の凹状部の大きさによってのみ制約を受けることとなる。したがって、雪止め支持部材２０５の形状の自由度が高い。
【００７８】
以上、本発明の好適な実施の形態について説明したが、本発明は上述の第１および第２実施形態に限られるものではなく、特許請求の範囲に記載した限りにおいて様々な変更が可能である。
【００７９】
上記第１および第２実施形態では、雪止め支持部材５、２０５は、垂木１０６に打ち込まれたビス６で垂木１０６に固定されているが、雪止め支持部材５、２０５を垂木１０６に固定する固定部材（第１固定部材）の構成はビス６に限定されるものではない。
【００８０】
上記第１および第２実施形態では、防水部材２は、防水キャップ体３と防水シート４で構成されているが、防水部材２は、防水性を有し屋根表面全体を覆うことが可能であれば、上記以外の構成であってもよい。
【００８１】
シール部材１１〜１６、２１１、２１２、平座金１７、およびばね座金１８は、それぞれ、設けなくてもよい。
【００８２】
第２実施形態の変更例として、防水キャップ体３の鍔部３ａと屋根板１０２の上面との間に、ビス６を取り囲むようにシール部材（第１シール部材）を配置してもよい。
【００８３】
上記第１および第２実施形態では、雪止めバー７は屋根の１面に１本だけ設けられているが、２本以上設けられていてもよい。例えば、瓦棒部１０１同士の間隔よりも短い幅の複数の雪止めバーを、１本の垂木の上方に一直線状に配置してもよい。また、瓦棒部１０１同士の間隔よりも短い幅の複数の雪止めバーを、２本の垂木の上方に交互に配置してもよい。
【００８４】
上記実施形態の瓦棒葺き屋根１００は、瓦棒部１０１の内側に通し吊子１０４が配置された構成となっているが、本発明が適用される瓦棒葺き屋根の構成は、上記に限定されるものではない。通し吊子１０４の代わりに、通し吊子１０４と断面形状が同じであって通し吊子１０４よりも短い複数の部分吊子が、間隔を空けて配置されていてもよい。部分吊子は、垂木の上方に配置されてビスなどで垂木に固定される。また、通し吊子１０４の代わりに、木製の角柱からなる心木が瓦棒部１０１の内側に配置されていてもよい。この場合、キャップ１０３と屋根板１０２の立ち上がり部１０２ａと心木とを互いに係止する構造は、心木を備えた従来の瓦棒葺き屋根と同様であり、具体的な説明は省略する。
【００８５】
上記実施形態の垂木１０６は、Ｃ型鋼であるが、Ｈ型鋼などＣ型鋼以外の鋼材であってもよく、木製の角材であってもよい。なお、図３ではビス６は垂木１０６を貫通しているが、垂木が木製の角材の場合にはビス６は垂木を貫通していなくてよい。
【００８６】
上記実施形態では、複数の垂木１０６は、瓦棒部１０１と直交する方向に沿って配置されているが、例えば図７に示すように、複数の垂木３０６ａが、瓦棒部１０１と交差する方向（図７では瓦棒部１０１に対して４５度の方向）に沿って配置され、別の複数の垂木３０６ｂが、垂木３０６ａと直交するように配置されていてもよい。つまり、複数の垂木３０６ａ、３０６ｂが格子状に配置されていてもよい。なお、図７では、防水部材２を省略して表示している。この場合、瓦棒部１０１は、上方から見て垂木３０６ａと垂木３０６ｂが交差する箇所を通るように配置される。そのため、雪止め支持部材５は、垂木３０６ａと垂木３０６ｂが交差する箇所の上方に配置される。
【実施例】
【００８７】
次に、本発明の効果を実証するために行った試験について説明する。
図８（ａ）は、本発明の瓦棒葺き屋根の雪止め構造を伴った防水構造の試験装置の概略構造を示している。この試験装置では、垂木に相当するＣ型鋼３１を、その長手方向が水平方向となるように加圧装置（図示省略）に固定した。このＣ型鋼３１に上記第１実施形態の雪止め支持部材５をビス６で固定した。また、雪止め支持部材５のボルト９が突出する箇所に防水キャップ体３３と雪止めバー３７を配置して、ボルト９にナット１０を締結して雪止めバー３７を雪止め支持部材５に固定した。なお、防水キャップ体３３と雪止めバー３７は、上記第１実施形態の防水キャップ体３と雪止めバー７をそれぞれ短くカットしたものである。
【００８８】
試験は、雪止めバー３７の上面を加圧板６０で押圧し、その荷重を徐々に大きくしていき、ビス６が破損したときの荷重を測定した。その結果は、６．７ｋＮであった。
【００８９】
また、本発明の比較対象として、従来の瓦棒葺き屋根の防水構造に従来の雪止め金具７２を設置した場合の試験装置でも試験を行った。図８（ｂ）は、この試験装置の概略構成を示している。この試験装置では、内部に通し吊子が配置された瓦棒部に相当する部材７１を、その長手方向が上下方向となるように加圧装置（図示省略）に固定した。この瓦棒部相当部材７１に防水キャップ体３３をかぶせて、その上から実公昭６４−４９７８と同様の雪止め金具７２を取り付けた。雪止め金具７２は、瓦棒部の両側面の上端部の突起を把持して、ボルト７２ｂとナットによって締め付けられる把持部７２ａを有する。また、雪止め金具７２の雪止め板７２ｃの大きさは、雪止めバー３７の大きさと同じとした。
【００９０】
試験は、雪止め板７２ｃの上面を加圧板６０で押圧し、その荷重を徐々に大きくしていき、雪止め金具７２がずれたときの荷重を測定した。その結果は、１．５ｋＮであった。このとき、雪止め板７２ｃの先端（図８（ｂ）中の右端）が下向きに傾くように、雪止め金具７２の把持部７２ａが防水キャップ体３３に対してずれた。
【００９１】
また、別の比較対象として、瓦棒部に相当する部材７１に直接、従来の雪止め金具７２を設置した場合についても試験を行った。試験装置の構成は、防水キャップ体３３の有無以外は、図８（ｂ）と同様である。試験は、上述の試験と同様に、雪止め金具７２がずれるまで、雪止め板７２ｃに加える荷重を徐々に大きくしていった。雪止め金具７２がずれたときの荷重は５．１ｋＮであって、雪止め板７２ｃの先端が下向きに傾くように、雪止め金具７２は瓦棒部相当部材７１に対してずれた。
【００９２】
以上の試験結果から、本発明の雪止め構造を伴った防水構造では、従来の雪止め金具を設置した場合よりも、雪止めを屋根に強固に固定できることがわかる。
【符号の説明】
【００９３】
１、２０１  瓦棒葺き屋根の雪止め構造を伴った防水構造
２  防水部材
３  防水キャップ体
３ａ  鍔部
３ｂ  天面部
４  防水シート
５、２０５  雪止め支持部材
５ａ  鍔部
５ｂ  天面部
６  ビス（第１固定部材）
７  雪止めバー
７ａ  台座
７ｂ  立ち上がり部
８  固定部材（第２固定部材）
９  ボルト
１０  ナット
１１  シール部材（第１シール部材）
１２  シール部材（第２シール部材）
１３  シール部材（第３シール部材）
１４  シール部材（第３シール部材）
１５  シール部材（第３シール部材）
１６  シール部材（第４シール部材）
１７  平座金
１８  ばね座金
１００  瓦棒葺き屋根
１０１  瓦棒部
１０２  屋根板
１０２ａ  立ち上がり部
１０３  キャップ
１０４  通し吊子
１０５  屋根下地板
１０６、３０６ａ、３０６ｂ  垂木（屋根基部）
２１１  シール部材（第１シール部材）
２１２  シール部材（第２シール部材）
【図１】
2015151745.tif 000003
【図２】
2015151745.tif 000004
【図３】
2015151745.tif 000005
【図４】
2015151745.tif 000006
【図５】
2015151745.tif 000007
【図６】
2015151745.tif 000008
【図７】
2015151745.tif 000009
【図８】
2015151745.tif 000010